(57)【要約】【課題】エルボ体の床への載置位置をより正確に決めることができる型紙、型紙を用いた型紙セット、及び型紙を用いた便器の設置方法を提案する。【解決手段】本発明の型紙は、トイレルームの床面１０１の排水管３に取り付けられる排水ソケット６に、横引き管５を介して接続され且つ便器の排水口に接続されるエルボ体４の、床面１０１への載置位置を決める際に、床面１０１に載置させて用いられる。本発明の型紙は、エルボ体４を内側に配し、エルボ体４の載置位置を決める第一開口部１１と、排水管３を内側に配する第二開口部１２と、第一開口部１１と第二開口部１２の間で両者を仕切るように位置する仕切片１３とを備える。仕切片１３は、第一開口部１１から第二開口部１２にかけて設けられる切り取り線１４を有する。【選択図】図５
2015206250.tif 000002
【特許請求の範囲】
【請求項１】
トイレルームの床面の排水管に取り付けられる排水ソケットに、横引き管を介して接続され且つ便器の排水口に接続されるエルボ体の、前記床面への載置位置を決める際に、前記床面に載置させて用いられる型紙であって、
前記エルボ体を内側に配し、前記エルボ体の載置位置を決める第一開口部と、
前記排水管を内側に配する第二開口部と、
前記第一開口部と前記第二開口部の間で両者を仕切るように位置する仕切片とを備え、
前記仕切片は、前記第一開口部から前記第二開口部にかけて設けられる切り取り線を有することを特徴とする型紙。
【請求項２】
型紙の外縁から前記第二開口部にかけて設けられる第二切り取り線を更に備えることを特徴とする請求項１に記載の型紙。
【請求項３】
前記第一開口部及び前記第二開口部を除いた部分に、前記床面に前記便器を設置する施工の各工程が描かれていることを特徴とする請求項１または２に記載の型紙。
【請求項４】
請求項３に記載の型紙と、
前記エルボ体に接続された前記横引き管の切断位置を示すために、前記排水管に位置を合わせた状態で前記型紙上に載置される第二型紙とを備え、
前記第二型紙には、前記施工の各工程のうち、前記型紙上に前記第二型紙を載置して行う工程が描かれていることを特徴とする型紙セット。
【請求項５】
請求項１に記載の型紙を用いた便器の設置方法であって、
前記第二開口部の内側に前記排水管が位置するように、前記床面に前記型紙を載置し、
前記横引き管を介して前記排水ソケットに接続された前記エルボ体を、前記床面のうち前記第一開口部の内側の部位に載置して、前記エルボ体の位置を決めて固定し、且つ前記排水ソケットを前記排水管に取り付け、
その後に、前記横引き管の下方に位置する前記仕切片を前記切り取り線で切り離して、前記型紙を前記床面上から取り除くことを特徴とする便器の設置方法。
【発明の詳細な説明】
【技術分野】
【０００１】
本発明は、型紙、型紙を備えた型紙セット、及び型紙を用いた便器の設置方法に関し、詳細には、トイレルームの床面の排水管と便器の排水口とを接続する際に用いられる、型紙、型紙セット、型紙を用いた便器の設置方法に関する。
【背景技術】
【０００２】
特許文献１には、便器の排水装置に固着される排水アジャスタが床へ据付される位置に、切欠形状を設けた型紙が開示されている。排水アジャスタは、床の排水管に取り付けられる床フランジ接続部に、横引管を介して接続される。
【０００３】
この型紙は、床フランジ接続部を内側に配する切欠形状を更に備える。
【先行技術文献】
【特許文献】
【０００４】
【特許文献１】特開２００７−９２３２８号公報
【発明の概要】
【発明が解決しようとする課題】
【０００５】
上述した特許文献１の型紙では、排水アジャスタ（エルボ体）の据付位置に設けられる切欠形状と、床フランジ接続部を内側に配する切欠形状とが連続している。そのため、特許文献１の型紙では、エルボ体は、その一部を切欠形状に合わせることができず、エルボ体の床への載置位置がずれるおそれがある。
【０００６】
上記事情を鑑みて、本発明は、エルボ体の床への載置位置をより正確に決めることができる型紙、型紙を用いた型紙セット、及び型紙を用いた便器の設置方法を提案することを課題とする。
【課題を解決するための手段】
【０００７】
上記課題を解決するために本発明の型紙は、トイレルームの床面の排水管に取り付けられる排水ソケットに、横引き管を介して接続され且つ便器の排水口に接続されるエルボ体の、前記床面への載置位置を決める際に、前記床面に載置させて用いられる型紙であって、前記エルボ体を内側に配し、前記エルボ体の載置位置を決める第一開口部と、前記排水管を内側に配する第二開口部と、前記第一開口部と前記第二開口部の間で両者を仕切るように位置する仕切片とを備え、前記仕切片は、前記第一開口部から前記第二開口部にかけて設けられる切り取り線を有することを特徴とする。
【０００８】
また、型紙の外縁から前記第二開口部にかけて設けられる第二切り取り線を更に備えることが好ましい。
【０００９】
また、前記第一開口部及び前記第二開口部を除いた部分に、前記床面に前記便器を設置する施工の各工程が描かれていることが好ましい。
【００１０】
上記課題を解決するために本発明の型紙セットは、施工の各工程が描かれている前記の型紙と、前記エルボ体に接続された前記横引き管の切断位置を示すために、前記排水管に位置を合わせた状態で前記型紙上に載置される第二型紙とを備え、前記第二型紙には、前記施工の各工程のうち、前記型紙上に前記第二型紙を載置して行う工程が描かれていることを特徴とする。
【００１１】
上記課題を解決するために本発明の便器の設置方法は、前記の型紙を用いた便器の設置方法であって、前記第二開口部の内側に前記排水管が位置するように、前記床面に前記型紙を載置し、前記横引き管を介して前記排水ソケットに接続された前記エルボ体を、前記床面のうち前記第一開口部の内側の部位に載置して、前記エルボ体の位置を決めて固定し、且つ前記排水ソケットを前記排水管に取り付け、その後に、前記横引き管の下方に位置する前記仕切片を前記切り取り線で切り離して、前記型紙を前記床面上から取り除くことを特徴とする。
【発明の効果】
【００１２】
本発明によれば、エルボ体の床への載置位置をより正確に決めることができる。
【図面の簡単な説明】
【００１３】
【図１】本発明の一実施形態の型紙セットを示し、Ａは型紙（第一型紙）の平面図であり、Ｂは第二型紙の斜視図であり、Ｃは他の第二型紙の斜視図である。
【図２】同上の型紙（第一型紙）を詳細に示す平面図である。
【図３】図１Ｂの第二型紙を詳細に示す平面図である。
【図４】図１Ｃの第二型紙を詳細に示す平面図である。
【図５】Ａ，Ｂは同上の型紙（第一型紙）と図１Ｂの第二型紙を用いた便器の設置の工程を示す斜視図である。
【図６】図５Ｂの後の施工の工程を示す斜視図である。
【図７】Ａ，Ｂは図６の後の施工の工程を示す斜視図である。
【図８】Ａ，Ｂは図７Ｂの後の施工の工程を示す斜視図である。
【図９】図８Ｂの後の施工の工程を示す斜視図である。
【図１０】図９の後の施工の工程を示す斜視図である。
【図１１】Ａ，Ｂは同上の型紙（第一型紙）と図１Ｃの第二型紙を用いた便器の設置の工程を示す斜視図である。
【図１２】Ａ，Ｂは図１１Ｂの後の施工の工程を示す斜視図である。
【図１３】図１２Ｂの後の施工の工程を示す斜視図である。
【発明を実施するための形態】
【００１４】
本発明を添付図面に示す実施形態に基づいて説明する。
【００１５】
本発明の一実施形態の型紙セットは、図１Ａに示す型紙１と、図１Ｂと図１Ｃに示す２つの第二型紙２とを備え、トイレルームの床面に便器を設置する際に用いられる。以下では、型紙１を、第一型紙１と記載する。
【００１６】
第一型紙１と２つの第二型紙２にはそれぞれ、図２、図３及び図４に示すように、便器をトイレルームの床面に設置する施工の各工程が描かれている。第一型紙１と２つの第二型紙２のＳ１〜Ｓ１０にはそれぞれ、施工の各工程についての説明が、文字と図、または文字のみで描かれている。
【００１７】
第一型紙１は、図５Ａに示すように、便器の排水口に接続されるエルボ体４の、トイレルームの床面１０１への載置位置を決める際に、床面１０１に載置させて用いられる。エルボ体４は、床面１０１の排水管３に取り付けられる排水ソケットに、横引き管５を介して接続される。第一型紙１は、トイレルームの壁面１００に当てた状態でトイレルームの床面１０１に載置される。
【００１８】
第二型紙２は、図５Ｂに示すように、排水管３に位置を合わせた状態で型紙１上に載置される。第二型紙２は、エルボ体４に接続された横引き管５の切断位置を示す。以下では、トイレルームの壁面１００に対して型紙セットが配置される側を前方とし、その反対側を後方とし、トイレルームの壁面１００に沿った水平方向を左右方向とし、トイレルームの壁面１００に沿った鉛直方向を上下方向として、各構成について説明する。つまり、図５Ａにおいては、矢印Ｘ１で示す方向が前方であり、その逆側が後方であり、矢印Ｙ１で示す方向が右方であり、その逆側が左方であり、矢印Ｚ１で示す方向が上方であり、その逆方向が下方である。
【００１９】
第一型紙１は、平面視略矩形状であり、後端面１０が左右方向に亘って壁面１００に当てられる面となっている。型紙１は、例えば厚紙で形成される。なお、型紙１は、厚紙に限らず、樹脂製等のシート部材で形成してもよい。
【００２０】
第一型紙１は、第一開口部１１と、第二開口部１２と、第一開口部１１と第二開口部１２の間で両者を仕切るように位置する仕切片１３とを備える。第一開口部１１は、エルボ体４を内側に配し、エルボ体４の載置位置を決める孔である。第二開口部１２は、排水管３を内側に配する孔である。本実施形態では、第一開口部１１は、略矩形状の孔であり、エルボ体４が有する支持部４２の下面の形状と略同形状である。第一開口部１１の前端の孔縁を、仕切片１３の後端が構成している。仕切片１３は、第一開口部１１から第二開口部１２にかけて設けられる切り取り線１４を有する。本実施形態では、切り取り線１４は、仕切片１３のうち、第一型紙１の左右方向の中央部に相当する箇所に位置する。切り取り線１４は、ミシン目や、周囲の部位よりも厚みを小さくする溝等である。
【００２１】
エルボ体４は、上方に向けて開口し、便器の排水口に接続される流入口４０と、前方に向けて開口し、横引き管５が接続される排出口４１と、床面１０１に載置される矩形板状の支持部４２とを有する。エルボ体４は、支持部４２を第一開口部１１に合わせて配置することで、排出口４１がまっすぐ前方を向く。エルボ体４に接続される横引き管５は、前後方向を長手方向とする筒体である。本実施形態では、横引き管５は、長手方向に垂直な断面が略円形状であり、上面が弧状ではなくフラットな面となっている。
【００２２】
第二開口部１２は、前後方向に長く設けられ、壁面１００からの距離が互いに異なる様々な排水管３を内側に配することができる。例えば、第二開口部１２は、壁面１００からの距離が、３０５ｍｍから４７０ｍｍの排水管３を内側に配することができる。本実施形態では、第二開口部１２は、排水管３の周囲の床面１０１に取り付けられる平面視円環状の取付部材３０を内側に配することができる。第二開口部１２は、前後方向に長い略楕円形状に設けられ、左右幅が取付部材３０の外径と略同じである。
【００２３】
取付部材３０には、排水ソケット６（図７Ａ、図７Ｂ、図８Ａ及び図８Ｂ参照）が、固定具８０によって取り付けられる。固定具８０は、ボルト８００とナット８０１を有する。取付部材３０には、ボルト８００が取り付けられる円弧状の取付孔３００が一対設けられている。一対の円弧状の取付孔３００は、取付部材３０の中心に対して、点対称に配置されている。取付孔３００は、ボルト８００の頭部を挿入可能な大径部３０１と、この大径部３０１と連続し、大径部３０１よりも孔幅の狭い長孔部３０２とを有する。ボルト８００は、頭部を下側に向けた状態で、大径部３０１に差し込み、大径部３０１から長孔部３０２へとスライド移動させることで、軸部が長孔部３０２から上方に突出した状態で、取付部材３０に取り付けられる。長孔部３０２の孔幅（周方向に直交する方向の孔幅）は、ボルト８００の軸部と同じか、それよりも僅かに大きい。
【００２４】
排水ソケット６は、後方に向けて開口し、横引き管５の前端部が接続される流入口６０と、下方に向けて開口し、排水管３の上端開口部に連通する排出口６１と、取付部材３０に載置される板状の載置部６２とを有する。載置部６２には、ボルト８００の軸部が挿通される円弧状の挿通孔６２０が一対設けられている。一対の円弧状の挿通孔６２０は、排出口６１の孔中心Ｃ２に対して、点対称に配置されている。一対の円弧状の挿通孔６２０は、一対の円弧状の取付孔３００に対応する位置に配置されている。一対の円弧状の挿通孔６２０は、孔幅（周方向に直交する方向の孔幅）がボルト８００の軸部と同じか、それよりも僅かに大きい。流入口６０内には、挿入された横引き管５の前端面が当たるストッパー面６３が設けられている。排水ソケット６は、載置部６２が固定具８０によって取付部材３０に固定される。排水ソケット６は、載置部６２が取付部材３０に固定された状態で、排出口６１の孔中心Ｃ２が排水管３の孔中心Ｃ３に、平面視にて一致する。排水ソケット６は、横引き管５を介してエルボ体４に接続される。
【００２５】
排水ソケット６には、必要に応じて、延長部材７が取り付けられる（図１２Ｂ参照）。延長部材７は、略円筒状であり、前端部が排水ソケット６の流入口６０に挿入され、前端面を流入口６０内のストッパー面６３に当てた状態で、排水ソケット６に接続される。延長部材７は、後端部に横引き管５の前端部が挿入される。延長部材７の後端部内には、横引き管５の前端面が当たるストッパー面７０が設けられている。
【００２６】
第二型紙２は、図１Ｂ，図１Ｃ及び図５Ｂに示すように、型紙１に載置されるベース部２０と、ベース部２０と一体に設けられる立ち上がり部２１とを有する。立ち上がり部２１は、少なくとも第二型紙２を使用する際には、ベース部２０から上方に突出する。本実施形態では、ベース部２０と立ち上がり部２１は、例えば、１枚の長方形状のシート材を長手方向の一部で９０度に折り曲げることで形成される。なお、立ち上がり部２１は、ベース部２０から上方に突出させて形成したものであってもよい。第二型紙２は、例えば厚紙で形成される。なお、第二型紙２は、立ち上がり部２１をベース部２０に対して垂直にできるものであれば、硬質な樹脂シート等の他のシート部材で形成してもよい。
【００２７】
ベース部２０には、排水管３に位置を合わせる合わせ孔２２が設けられている。本実施形態では、合わせ孔２２は、孔縁が平面視略Ｃ字状をなす略円形状の孔であり、円環状の取付部材３０の外周面の大部分に合致する。なお、合わせ孔２２は、取付部材３０の外周面に全周に亘って合致する円形状の孔であってもよい。
【００２８】
立ち上がり部２１には、エルボ体４に接続された横引き管５が挿通される挿通孔２３と、取付部材３０が収められる収納孔２４とが設けられている。挿通孔２３は、横引き管５の長手方向に垂直な断面と同形状である。本実施形態では、挿通孔２３は、略円形状であり、上端部の孔縁がフラットである。
【００２９】
挿通孔２３は、横引き管５と同じ上下位置となるように立ち上がり部２１に設けられる。挿通孔２３に挿通された横引き管５は、立ち上がり部２１によって支持される。横引き管５のうち挿通孔２３に挿通される箇所が横引き管５の切断位置である。ここで、横引き管５のうち挿通孔２３に挿通される箇所とは、挿通孔２３と平面視にて一致する箇所に限らず、立ち上がり部２１の前面に沿った箇所や、立ち上がり部２１の後面に沿った箇所も含む。なお、挿通孔２３は、横引き管５を挿通可能な孔であればよく、挿通された横引き管５との間に隙間が形成されて横引き管５を支持しないものであってもよい。
【００３０】
収納孔２４は、取付部材３０のうち平面視にて立ち上がり部２１と重なる部位を収める孔である。本実施形態では、立ち上がり部２１の下端部のうち、合わせ孔２２の孔縁と連続する２か所に、切り込み２５を上方に向けて形成することで、左右一対の切り込み２５間に収納孔２４が形成される。立ち上がり部２１の下端部のうち、左右一対の切り込み２５間の部位が、取付部材３０によって押し上げられることで、収納孔２４内に取付部材３０を収納することができる。このように収納孔２４を設けることで、立ち上がり部２１が取付部材３０によって押し上げられて、型紙１から離れることを防止できる。なお、収納孔２４は、立ち上がり部２１の下端部のうち、左右一対の切り込み２５間の部位を切除した、前後方向に貫通する孔であってもよい。
【００３１】
図１Ｂに示す第二型紙２と図１Ｃに示す第二型紙２とは、合わせ孔２２の中心Ｃ１から挿通孔２３までの水平方向の距離Ｌ１が互いに異なる。言い換えると、２つの第二型紙２は、合わせ孔２２の中心Ｃ１から立ち上がり部２１までの水平方向の距離Ｌ１が互いに異なる。
【００３２】
図１Ｂに示す第二型紙２は、延長部材７を装着していない排水ソケット６に対応した第二型紙２００である。第二型紙２００の、合わせ孔２２の中心Ｃ１から挿通孔２３までの前後距離Ｌ１０は、排水ソケット６のストッパー面６３から排出口６１の孔中心Ｃ２までの前後距離Ｌ２と同じである（図７Ａ参照）。つまり、第二型紙２００は、合わせ孔２２の中心Ｃ１が排水ソケット６の排出口６１の孔中心Ｃ２に対応し、挿通孔２３が排水ソケット６の流入口６０内のストッパー面６３に対応する、排水ソケット６を単純化したモデルとなっている。
【００３３】
図１Ｃに示す第二型紙２は、延長部材７付きの排水ソケット６に対応した第二型紙２０１である。第二型紙２０１の、合わせ孔２２の中心Ｃ１から挿通孔２３までの前後距離Ｌ１１は、第二型紙２００の前後距離Ｌ１０よりも、延長部材７の前端面からストッパー面７０までの前後距離Ｌ３の分だけ長い（図１２Ｂ参照）。つまり、第二型紙２０１は、合わせ孔２２の中心Ｃ１が排水ソケット６の排出口６１の孔中心Ｃ２に対応し、挿通孔２３が延長部材７内のストッパー面７０に対応する、延長部材７付きの排水ソケット６を単純化したモデルとなっている。第二型紙２０１では、第二型紙２００よりも合わせ孔２２内に配される取付部材３０の範囲が広い。
【００３４】
また、第一型紙１には、図１Ａ及び図２に示すように、第二開口部１２の周囲に、使用されるべき第二型紙２を示す目印１５が設けられる。目印１５は、第二開口部１２内における排水管３の孔中心Ｃ３の前後位置と見比べることで、２つの第二型紙２のうち使用されるべき１つの第二型紙２が施工者にわかるように設けられる。目印１５は、例えば、使用する第二型紙２を切り替える位置に描かれた直線部１５０を有する。直線部１５０は、例えば、壁面１００からの距離が４４５ｍｍの箇所に描かれる。目印１５は、第一型紙１のうち第二開口部１２よりも右側の部位と左側の部位にそれぞれ設けられる。
【００３５】
また、第一型紙１には、便器の前部が固定される固定片８（図８Ｂ等参照）を取り付けるための第三開口部１６が、第二開口部１２よりも前側に設けられる。第三開口部１６は、本実施形態では、固定片８の下面の外形と略同形状の孔である。
【００３６】
また、第一型紙１は、図１Ａに示すように、第一型紙１の外縁から第二開口部１２にかけて設けられる第二切り取り線１７を更に備える。本実施形態では、第二切り取り線１７は、第一型紙１の前端面から第三開口部１６までの部位と、第三開口部１６から第二開口部１２までの部位に設けられる。第二切り取り線１７は、両部位のうち、第一型紙１の左右方向の中央部に相当する箇所に位置する。つまり、第二切り取り線１７は、切り取り線１４と同一直線上に位置する。第二切り取り線１４は、ミシン目や、周囲の部位よりも厚みを小さくする溝等である。
【００３７】
また、第一型紙１には、第一開口部１１の右側と左側の部位にそれぞれ、床面１０１における下孔（図示せず）の形成位置を示す第二目印１８が設けられる。前記下孔は、便器の左右の側部に上方から打ち込まれるねじ等の固定具（図示せず）を固定するための孔である。
【００３８】
続いて、以上説明した本実施形態の型紙セットを用いた便器の設置方法の一例について説明する。
【００３９】
まず、第一の工程では、図５Ａに示すように、第一型紙１の後端面１０をトイレルームの壁面１００に当て、型紙１の第二開口部１２内に排水管３の周囲の取付部材３０を位置させた状態で、第一型紙１をトイレルームの床面１０１に載置する。
【００４０】
次いで、第二の工程では、第一型紙１の第二開口部１２の周囲の目印１５と、第二開口部１２内における排水管３の孔中心Ｃ３の前後位置とを比べて、使用されるべき１つの第二型紙２を決める。ここで、目印１５の直線部１５０よりも後側に排水管３の孔中心Ｃ３が位置する場合には、延長部材７無しの排水ソケット６に対応した第二型紙２００を使用する。そして、目印１５の直線部１５０よりも前側に排水管３の孔中心Ｃ３が位置する場合には、延長部材７付きの排水ソケット６に対応した第二型紙２０１を使用する。
【００４１】
まず、延長部材７無しの排水ソケット６に対応した第二型紙２００を使用する場合について説明する。
【００４２】
第二の工程の次の第三の工程では、第一型紙１の第一開口部１１に位置を合わせて、エルボ体４の支持部４２を第一開口部１１内の床面１０１上に載置する。このとき、支持部４２は、仕切片１３の後縁に、左右方向に長い距離合わせることができる。つまり、支持部４２は、周方向の略全長に亘って、第一開口部１１の孔縁に合わせることができ、これにより、エルボ体４の載置位置をより正確に決めることができる。ここで、エルボ体４の排出口４１には、横引き管５を接続しておく。
【００４３】
次いで、第四の工程では、図５Ｂに示すように、第二型紙２００を、排水管３の位置に合わせて、第一型紙１上に載置する。このとき、第二型紙２００の合わせ孔２２を排水管３の周囲の取付部材３０の外周面に合致させ、第二型紙２００の立ち上がり部２１の挿通孔２３に横引き管５を挿通させる。ここで、合わせ孔２２から上方に突出する取付部材３０が、立ち上がり部２１の収納孔２４に収められることで、第二型紙２００は、第一型紙１に接触した状態を確保できる。
【００４４】
次いで、第五の工程では、横引き管５のうち挿通孔２３を挿通する箇所に、マーカー等で切断位置を示すマークＭ１を付け、図６に示すように、第二型紙２００を取り外し、横引き管５のマークＭ１の付いた箇所を、のこぎり等の切断具を用いて切断する。
【００４５】
次いで、第六の工程では、図７Ａ及び図７Ｂに示すように、切断された横引き管５の先端部（前端部）を、排水ソケット６の流入口６０に接続する。このとき、横引き管５の前端を、流入口６０内のストッパー面６３に当てる。そして、排水ソケット６と横引き管５とエルボ体４を接着剤等で一体化させる。
【００４６】
次いで、第七の工程では、第一型紙１の第二目印１８を通じて、床面１０１に下孔を設ける。
【００４７】
次いで、第八の工程では、排水ソケット６の排出口６１に、止水のためのリング形状のＰシール（図示せず）を貼り付ける。
【００４８】
次いで、第九の工程では、図８Ａ及び図８Ｂに示すように、横引き管５を介して排水ソケット６に接続されたエルボ体４の支持部４２を、第一開口部１１内の床面１０１に載置して、支持部４２の位置を決める。このとき、排水ソケット６の載置部６２が排水管３の周囲の取付部材３０上に載置され、取付部材３０の一対の取付孔３００の長孔部３０２にそれぞれ取り付けられたボルト８００の軸部が、載置部６２の各挿通孔６２０に挿通される。そして、支持部４２の床面１０１への載置位置を決めた後、ねじ等の固定具８３を用いて、支持部４２を第一開口部１１内の床面１０１に固定する。ここで、支持部４２は、仕切片１３の後縁に、左右方向に長い距離合わせることができる。つまり、支持部４２は、周方向の略全長に亘って、第一開口部１１の孔縁に合わせて載置した状態で床面１０１に固定することができ、これにより、エルボ体４の載置位置（固定位置）をより正確に決めることができる。また、支持部４２の載置位置（固定位置）が正確に決まることによって、横引き管５を介してエルボ体４に接続された排水ソケット６の向きもより正確に決めることができる。そして、載置部６２の各挿通孔６２０から上方に突出したボルト８００の軸部にナット８０１を取り付け、取付部材３０に排水ソケット６を取り付ける。そして、第一型紙１の第三開口部１６に固定片８を合わせて、固定片８を第三開口部１６内の床面１０１に固定する。なお、排水ソケット６の取付部材３０への固定と、エルボ体４の支持部４２の床面１０１への固定と、固定片８の床面１０１への固定は、どれを先に行ってもよい。
【００４９】
次いで、第十の工程では、図９に示すように、第一型紙１の仕切片１３を切り取り線１４で切り離し、第一型紙１の前端面から第三開口部１６までの部位と、第三開口部１６から第二開口部１２までの部位を、第二切り取り線１７で切り離す。このとき、第一型紙１のうち、第二切り取り線１７の左右両側の部位を持って左右に開くことで、第二切り取り線１７と切り取り線１４で、第一型紙１を左右に切り離すことができる。そして、第一型紙１を床面１０１上から取り除く。
【００５０】
次いで、最後の工程では、図１０に示すように、エルボ体４の上方から便器９を落とし込み、エルボ体４の流入口４０に便器９の排水口を接続させる。次いで、便器９の前部に、前方からねじ等の固定具８２を挿通させて、便器９の前部を固定片８に固定する。次いで、便器９の左右の側部に、ねじ等の固定具を打ち込んで、床面１０１に設けた下孔に固定具を止め付け、便器９の左右の側部を床面１０１に固定する。
【００５１】
続いて、延長部材７付きの排水ソケット６に対応した第二型紙２０１を使用する場合について説明する。以下では、第四の工程以降の工程について、説明する。
【００５２】
第四の工程では、図１１Ｂに示すように、第二型紙２０１を、排水管３の位置に合わせて、第一型紙１上に載置する。このとき、第二型紙２０１の合わせ孔２２を排水管３の周囲の取付部材３０の外周面に合致させ、第二型紙２０１の立ち上がり部２１の挿通孔２３に横引き管５を挿通させる。ここで、合わせ孔２２から上方に突出する取付部材３０が、立ち上がり部２１の収納孔２４に収められることで、第二型紙２０１は、第一型紙１に接触した状態を確保できる。
【００５３】
次いで、第五の工程では、横引き管５のうち挿通孔２３を挿通する箇所に、マーカー等で切断位置を示すマークＭ１を付け、図１２Ａに示すように、第二型紙２０１を取り外し、横引き管５のマークＭ１の付いた箇所を、のこぎり等の切断具を用いて切断する。
【００５４】
次いで、第六の工程では、図１２Ｂに示すように、排水ソケット６の流入口６０に、延長部材７の前端部を接続し、延長部材７の後端部に、切断された横引き管５の先端部（前端部）を接続する。このとき、切断された横引き管５の前端を、延長部材７内のストッパー面７０に当てる。そして、排水ソケット６と延長部材７と横引き管５とエルボ体４を接着剤等で一体化させる。なお、延長部材７は、横引き管５が接続される前に、排水ソケット６に接着剤等で一体化させておいてもよい。
【００５５】
第七の工程以降の工程は、上述した第七の工程〜第十の工程及び最後の工程と同様のため、説明は省略する。なお、図１３には、第九の工程が示されている。
【００５６】
上述した第一〜第十の工程は、図２、図３及び図４に示す、第一型紙１と２つの第二型紙２のＳ１〜Ｓ１０にそれぞれ対応している。第一型紙１には、第一開口部１１、第二開口部１２、及び第三開口部１６を除いた部分に、Ｓ１〜Ｓ４，Ｓ７〜Ｓ１０の施工の各工程が描かれている。また、第二型紙２には、合わせ孔２２及び挿通孔２３を除いた部分に、Ｓ５〜Ｓ６の施工の各工程が描かれている。Ｓ５〜Ｓ６の施工の工程は、第二型紙２を第一型紙１上に載置してから行う工程である。
【００５７】
詳しくは、本実施形態では、図２に示すように、第一型紙１のＳ１には、上述した第一の工程が文字で簡略に記載され、第一型紙１のＳ２には、上述した第二の工程が文字と図（図１Ａに対応した図）で簡略に記載されている。そして、第一型紙１のＳ３には、上述した第三の工程が文字と図（図５Ａや図１１Ａに対応した図）で簡略に記載され、第一型紙１のＳ４には、上述した第四の工程が文字と図（図５Ｂや図１１Ｂに対応した図）で簡略に記載されている。
【００５８】
また、図３に示すように、第二型紙２００のＳ５には、第二型紙２００を用いた場合の第五の工程が文字と図（図５Ｂと図６に対応した図）で簡略に記載されている。そして、第二型紙２００のＳ６には、第二型紙２００を用いた場合の第六の工程が文字と図（図７Ａに対応した図）で簡略に記載されている。第二型紙２００には、Ｓ７以降は第一型紙１を参照することも記載されている。
【００５９】
また、図４に示すように、第二型紙２０１のＳ５には、第二型紙２０１を用いた場合の第五の工程が文字と図（図１１Ｂと図１２に対応した図）で簡略に記載されている。そして、第二型紙２０１のＳ６には、第二型紙２０１を用いた場合の第六の工程が文字と図（図１２Ｂに対応した図）で簡略に記載されている。第二型紙２０１には、Ｓ７以降は第一型紙１を参照することも記載されている。ここで、第二型紙２００のＳ５と第二型紙２０１のＳ５には、施工の各工程のうち、第一型紙１上に第二型紙２を載置して行う工程が描かれている。
【００６０】
また、図２に示すように、第一型紙１のＳ７には、第七の工程が文字で簡略に記載され、第一型紙１のＳ８には、第八の工程が文字と図（排水ソケット６を裏側から視た図）で簡略に記載されている。そして、第一型紙１のＳ９には、第九の工程が文字と図（図８Ａや図８Ｂに対応した図）で簡略に記載され、第一型紙１のＳ１０には、第十の工程が文字と図（図９に対応した図）で簡略に記載されている。また、第一型紙１の目印１５の前側には、目印１５の直線部１５０よりも前側に排水管３の孔中心Ｃ３が位置する場合には、延長部材７が必要となることも記載されている。
【００６１】
以上説明した本実施形態の便器の設置方法では、第一型紙１として、第一開口部１１と第二開口部１２との間に、両開口部１１，１２間を仕切るように位置する仕切片１３を備えるものを用いている。そのため、本実施形態の便器の設置方法では、仕切片１３の第一開口部１１側（後端側）の縁に、左右方向に長い距離、エルボ体４の支持部４２の前端を合わせることができる。つまり、本実施形態の便器の設置方法では、エルボ体４の支持部４２を周方向の全長、または略全長に亘って、第一開口部１１の孔縁に合わせることができる。これにより、本実施形態の便器の設置方法では、エルボ体４の載置位置をより正確に決めることができる。
【００６２】
また、本実施形態の便器の設置方法では、仕切片１３に切り取り線１４を設けて、簡単に切り取りできるようにしたことで、第一型紙１を床面１０１上から取り除く際に、仕切片１３が邪魔になることを抑制できる。
【００６３】
また、本実施形態の型紙セットでは、第一型紙１と第二型紙２に、便器９を床面１０１に設置する施工の各工程を描くようにしたことで、便器９を床面１０１に設置する際に、別に施工手順書が必要とならず、施工が行いやすい。
【００６４】
また、本実施形態の型紙セットでは、第二型紙２に、施工の各工程のうち、第一型紙１上に第二型紙２を載置して行う工程が描かれるようにしたことで、第一型紙１上に描かれた施工の工程が第二型紙２によって視えなくなって、不都合が生じることを抑制できる。
【００６５】
また、本実施形態の便器の設置方法では、仕切片１３に切り取り線１４を設けて、簡単に切り取りできるようにしたことで、床面１０１に便器９を載置する直前まで、型紙１を床面１０１に設置したまま施工することができる。これにより、型紙１を施工の途中で、床面１０１上から取り除く等することによって、エルボ体４や便器９の設置位置にずれが生じてしまうことを抑制できる。また、本実施形態では、型紙１に、便器９を床面１０１に載置する直前までの、施工の工程を記載することができる。
【００６６】
なお、上述した一実施形態では、型紙１と第二型紙２とを備える型紙セットを用いて便器を設置する例について説明したが、型紙１を単独で用いて便器を設置してもよい。その場合、第一開口部１１上のエルボ体４に接続された横引き管５の切断位置は、排水管３の位置に合わせて決めればよい。例えば、型紙１のうち、排水管３の孔中心Ｃ３から所定の距離となる箇所に、切断の目安となる線を書き込み、その後、第一開口部１１上のエルボ体４に接続された横引き管５のうち、この目安の線上に位置する箇所を切断してもよい。また、横引き管５をエルボ体４に接続する前に、壁面１００から排水管３までの距離に合わせて横引き管５を予め切断しておいてもよい。
【００６７】
また、上述した一実施形態では、型紙１と第二型紙２の両方に、施工の各工程が描かれている例について説明したが、型紙１にのみ施工の各工程が描かれていてもよい。また、型紙１と第二型紙２にはいずれも、施工の各工程が描かれていなくてもよい。
【００６８】
また、上述した一実施形態では、切り取り線１４と第二切り取り線１７を、第一型紙１の左右方向の中央部に、同一直線上に位置するように設けた例について説明したが、両切り取り線１４，１７は、左右方向にずれて位置してもよい。また、上述した一実施形態では、第二切り取り線１７を、第二開口部１２から第一型紙１の前縁にかけて設けた例について説明したが、第二切り取り線１７は、第二開口部１２から第一型紙１の右縁や左縁にかけて設けてもよい。また、上述した一実施形態では、第二切り取り線１７を備える第一型紙１について説明したが、第一型紙１は、第二切り取り線１７を備えないものであってもよい。
【００６９】
以上まとめると、本発明の型紙は、上述した実施形態の型紙１のように、下記の構成を備えることを特徴とする。
【００７０】
すなわち、本発明の型紙は、トイレルームの床面１０１の排水管３に取り付けられる排水ソケット６に、横引き管５を介して接続され且つ便器９の排水口に接続されるエルボ体４の、床面１０１への載置位置を決める際に、床面１０１に載置させて用いられる。本発明の型紙は、エルボ体４を内側に配し、エルボ体４の載置位置を決める第一開口部１１と、排水管３を内側に配する第二開口部１２と、第一開口部１１と第二開口部１２の間で両者を仕切るように位置する仕切片１３とを備える。仕切片１３は、第一開口部１１から第二開口部１２にかけて設けられる切り取り線１４を有する。
【００７１】
以上のように、本発明の型紙は、第一開口部１１と第二開口部１２との間に、両開口部１１，１２間を仕切るように位置する仕切片１３を備える。そのため、本発明の型紙は、仕切片１３の第一開口部１１側の縁に長い距離、エルボ体４を合わせることができる。これにより、本発明の型紙は、エルボ体４の載置位置をより正確に決めることができる。
【００７２】
また、本発明の型紙は、上述した実施形態の型紙１のように、型紙１の外縁から第二開口部１２にかけて設けられる第二切り取り線１７を更に備えることが好ましい。
【００７３】
このような構成を備えることで、本発明の型紙では、切り取り線１４と第二切り取り線１７で型紙を切り離すことによって、エルボ体４と排水ソケット６とが取り付けられた床面１０１上から、型紙を横にずらして取り外すことができる。
【００７４】
また、本発明の型紙は、上述した実施形態の型紙１のように、上記の構成に加えて、第一開口部１１及び第二開口部１２を除いた部分に、床面１０１に便器９を設置する施工の各工程が描かれていることが好ましい。
【００７５】
このような構成を備えることで、本発明の型紙では、便器９を床面１０１に設置する際に、別に施工手順書が必要とならず、施工が行いやすい。
【００７６】
また、本発明の型紙セットは、上述した一実施形態の型紙セットのように、下記の構成を備えることを特徴とする。
【００７７】
すなわち、本発明の型紙セットは、施工の各工程が描かれている前記の型紙１と、エルボ体４に接続された横引き管５の切断位置を示すために、排水管３に位置を合わせた状態で型紙１上に載置される第二型紙２とを備える。第二型紙２には、前記施工の各工程のうち、型紙１上に第二型紙２を載置して行う工程が描かれている。
【００７８】
このような構成を備えることで、本発明の型紙セットでは、第一型紙１上に描かれた施工の工程が第二型紙２によって視えなくなって、不都合が生じることを抑制できる。
【００７９】
また、本発明の便器の設置方法は、上述した実施形態の便器の設置方法のように、下記の構成を備えることを特徴とする。
【００８０】
すなわち、本発明の便器の設置方法は、前記の型紙１を用いた便器の設置方法である。本発明の便器の設置方法は、第二開口部１２の内側に排水管３が位置するように、床面１０１に型紙１を載置する。そして、横引き管５を介して排水ソケット６に接続されたエルボ体４を、床面１０１のうち第一開口部１１の内側の部位に載置して、エルボ体４の位置を決めて固定し、且つ排水ソケット６を排水管３に取り付ける。その後に、横引き管５の下方に位置する仕切片１３を切り取り線１４で切り離して、型紙１を床面１０１上から取り除く。
【００８１】
以上ように、本発明の便器の設置方法では、第一型紙１として、第一開口部１１と第二開口部１２との間に、両開口部１１，１２間を仕切るように位置する仕切片１３を備えるものを用いている。そのため、本発明の便器の設置方法では、エルボ体４を床面１０１のうち第一開口部１１の内側に載置して、エルボ体４の位置を決めて固定する際に、仕切片１３の第一開口部１１側の縁に長い距離、エルボ体４を合わせることができる。これにより、本発明の便器の設置方法では、エルボ体４の載置位置をより正確に決めることができる。
【００８２】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００８３】
１      型紙（第一型紙）
２      第二型紙
３      排水管
４      エルボ体
５      横引き管
６      排水ソケット
９      便器
１１    第一開口部
１２    第二開口部
１３    仕切片
１４    切り取り線
１０１  床面
【図１】
2015206250.tif 000003
【図２】
2015206250.tif 000004
【図３】
2015206250.tif 000005
【図４】
2015206250.tif 000006
【図５】
2015206250.tif 000007
【図６】
2015206250.tif 000008
【図７】
2015206250.tif 000009
【図８】
2015206250.tif 000010
【図９】
2015206250.tif 000011
【図１０】
2015206250.tif 000012
【図１１】
2015206250.tif 000013
【図１２】
2015206250.tif 000014
【図１３】
2015206250.tif 000015